(57)【要約】【課題】本類を載置する載置台を安定して支持すると共に、天板等の水平板体への取付及び水平板体からの取り外しが容易に行なえ、しかも取り外し後の天板に何ら留め跡を残すことのない本類の支持台を提供すること。【解決手段】天板等の水平板体上４に支持される本類を載置する載置台３と、該載置台３を固定保持する取付具５とを備えた本類の支持台１であって、載置台３は該載置台３から取付具５側に延在する載置台保持具７と連結固定され、取付具５は、ボルト９と螺合する水平板１１と、垂直部１３ｂと、鈎状部（１３ｃ、１５）で構成され、ボルト９の操作により、鈎状部（１３ｃ、１５）を水平板体４の下方から上方に、載置台保持具７の先端部７ｃを水平板体４の上方から下方に押圧する。【選択図】図４
2007135706.tif 000002
【特許請求の範囲】
【請求項１】
天板等の水平板体上に支持される本類を載置する載置台と、該載置台を固定保持する取付具とを備えた本類の支持台であって、前記載置台は該載置台から取付具側に延在する載置台保持具に支持され、前記取付具は、ボルトと螺合する水平部と、該水平部から延設された垂直部と、該垂直部の下端から延設した鈎状部で構成され、前記水平部に螺合したボルトの操作により、前記鈎状部を水平板体の下方から上方に、載置台保持具の先端部を水平板体の上方から下方に押圧することを特徴とする本類の支持台。
【請求項２】
前記水平部、垂直部、そして鈎状部を一体に形成した請求項１に記載の本類の支持台。
【請求項３】
前記ボルトは雄ネジが形設された大径部と先端小径軸部で構成され、前記載置台保持具の先端部はボルトの大径部を支持する保持板と、ボルトの先端小径軸部を貫通する前記保持板に形成した挿通孔とで構成されている請求項１または２に記載の本類の支持台。
【請求項４】
前記水平部を下方が開口するコ字状箱体に、前記保持板を上方が開口するコ字状箱体にそれぞれ形成し、両箱体同士を上下方向に摺動自在に嵌合させた請求項１乃至３のいずれかに記載の本類の支持台。
【請求項５】
前記ボルトの先端小径軸部は前記挿通孔を貫通した後、抜け止め防止体を取り付けた請求項４に記載の本類の支持台。
【請求項６】
前記載置台保持具を載置台の背板と結合し、且つ前記保持板と連結する杆材で構成した請求項３乃至５のいずれかに記載の本類の支持台。
【発明の詳細な説明】
【技術分野】
【０００１】
本発明は、天板等の水平板体上に支持される本類を載置する載置台と、該載置台を固定保持する取付具とを備えた本類の支持台に関する。
【背景技術】
【０００２】
従来、天板等の水平板体上に支持される本類を載置する載置台と、この載置台を安定保持するものとして、スタンド型の卓上書見台が公知である（例えば、特許文献１参照）。この卓上書見台は本類を載置する載置台として構成された背板と、この背板の裏面に蝶番を介して回動自在に連結されたスタンドで構成され、背板の下面及びスタンドの足部の下面にゴムなどの摩擦材からなる滑り止め材を貼着して机などの卓面に安定支持させている。また、天板に天板飾り桟をビスで鋲着し、天板飾り桟に形成した溝部に譜面立を挿入した譜面立支持装置も公知である（例えば、特許文献２参照）。
【０００３】
【特許文献１】特開２００３−７０５５３号公報（段落０００８〜００１３、図１）
【特許文献２】特開平４−３４９０号公報（第１頁、第４図の従来例参照）
【発明の開示】
【発明が解決しようとする課題】
【０００４】
しかしながら、特許文献１に記載の卓上書見台は、背板の下面及びスタンドの足部の下面に滑り止め材が貼着されているものの、少し大きな外力が加わると倒れてしまう不具合があった。また、特許文献２に記載の譜面立支持装置にあっては、天板に天板飾り桟をビスで鋲着しているため、天板飾り桟の溝部に挿入した譜面立が倒れる心配はないが、天板飾り桟を天板に鋲着する作業が煩雑であり、通常の天板として使用する時は、取り外しに手間がかかるばかりでなく、ビスの止め跡が天板に残り見栄えも悪かった。
【０００５】
本発明は、このような問題点に着目してなされたもので、本類を載置する載置台を安定して支持すると共に、天板等の水平板体への取付及び水平板体からの取り外しが容易に行なえ、しかも取り外し後の天板に何ら留め跡を残すことのない本類の支持台を提供することを目的とする。
【課題を解決するための手段】
【０００６】
前記課題を解決するために、本発明の請求項１に記載の本類の支持台は、天板等の水平板体上に支持される本類を載置する載置台と、該載置台を固定保持する取付具とを備えた本類の支持台であって、前記載置台は該載置台から取付具側に延在する載置台保持具に支持され、前記取付具は、ボルトと螺合する水平部と、該水平部から延設された垂直部と、該垂直部の下端から延設した鈎状部で構成され、前記水平部に螺合したボルトの操作により、前記鈎状部を水平板体の下方から上方に、載置台保持具の先端部を水平板体の上方から下方に押圧することを特徴としている。
この特徴によれば、ボルトの操作だけで、水平板体を傷つけることなく載置台保持具を介して載置台を容易且つ確実に固定保持することができるばかりでなく、しかも載置台を水平板体から取り外し後も天板に何ら固定保持した留め跡を残すことがない。
【０００７】
本発明の請求項２に記載の本類の支持台は、請求項１に記載の本類の支持台であって、前記水平部、垂直部、そして鈎状部を一体に形成したことを特徴としている。
この特徴によれば、水平部、垂直部、そして鈎状部が一体に形成されているので、構造が堅牢で強度に優れ、水平部の上下方向の移動に対して、鈎状部を正確に連動させることができる。
【０００８】
本発明の請求項３に記載の本類の支持台は、請求項１または２に記載の本類の支持台であって、前記ボルトは雄ネジが形設された大径部と先端小径軸部で構成され、前記載置台保持具の先端部はボルトの大径部を支持する保持板と、ボルトの先端小径軸部を貫通する前記保持板に形成した挿通孔とで構成されていることを特徴としている。
この特徴によれば、ボルト操作時のボルト先端部による保持板に掛かる負荷を逃がしながら、ボルトの大径部で保持板を水平板体側に押しつけることができる。
【０００９】
本発明の請求項４に記載の本類の支持台は、請求項１乃至３のいずれかに記載の本類の支持台であって、前記水平部を下方が開口するコ字状箱体に、前記保持板を上方が開口するコ字状箱体にそれぞれ形成し、両箱体同士を上下方向に移動自在に嵌合させたことを特徴としている。
この特徴によれば、両箱体によりボルト本体をほとんど隠蔽することができ、しかもボルト操作時における水平部の連れ回りを両箱体同士の嵌合で防ぐことができる。
【００１０】
本発明の請求項５に記載の本類の支持台は、請求項４に記載の本類の支持台であって、前記ボルトの先端小径軸部は前記挿通孔を貫通した後、抜け止め防止体を取り付けたことを特徴としている。
この特徴によれば、取付具を水平板体から取り外す際も、抜け止め防止体により保持体と取付具がボルトを介して連結状態にできるので、載置台と取付具がバラバラにならずに常に一体化させておくことができる。
【００１１】
本発明の請求項６に記載の本類の支持台は、請求項３乃至５のいずれかに記載の本類の支持台であって、前記載置台保持具を載置台の背板と結合し、且つ前記保持板と連結する杆材で構成したことを特徴としている。
この特徴によれば、載置台の背板と結合し且つ前記保持板との連結を杆材で構成することで、種々の形に加工しやすい載置台保持具を提供できる。
【発明を実施するための最良の形態】
【００１２】
本発明の実施例を以下に説明する。
【実施例】
【００１３】
本発明の実施例を図面に基づいて説明すると、図１は机の背面側に本発明の実施例における本類の支持台を固定保持した本類の支持台の全体像を示す斜視図であり、図２は本類の支持台の分解斜視図であり、図３は取付具の分解断面図であり、図４は取付具を天板に固定保持した状態を示す断面図である。
【００１４】
本実施例における本類の支持台（以下単に「支持台」という）は、机やテーブルあるいはピアノ等の天板の如き水平板体上で、本や譜面等（以下単に「本類」という）をやや傾斜させて見やすくするための台であって、図１に示すように、支持台１は本類を載置する載置台３と、机の天板４の端部４ａに取付可能な取付具５とを備え、載置台３はこの載置台３から取付具５側に延在する載置台保持具７と連結固定されている。載置台３は本類の背面を傾斜保持するパンチングされた矩形の背板３ａと本類の底部側がずれ落ちないように保持した上面開放のコ字状の棚縁底面３ｂから成り、１枚の板状体で構成されている。
【００１５】
図２に示すように、載置台保持具７は、背板３ａのほぼ中央に固定連結した長コ字状の杆材７ａ（例えば、アルミ金属等の屈曲形成された棒材）と、この杆材７ａのそれぞれの端部から天板４の上面に支持される直線状の杆材７ｂと、この直線状の杆材７ｂの先端部に固定された保持板７ｃで構成されている。そしてこの杆材７ａと杆材７ｂは一体に形成され、側面視略Ｌ字状（図４参照）に形成されている。
【００１６】
取付具５は締め付けボルト９と、この締め付けボルト９と螺合する水平部として構成された水平板１１と、この水平板１１に取り付けられたコ字状の一対の杆材１３（例えば、アルミ金属等の屈曲形成された棒材）と、コ字状の杆材１３の下端に取り付けた押さえ板１５からなり、一対のコ字状の杆材１３は水平板１１の上面部１１ｂ端面と溶着された上方水平部１３ａ，１３ａと、上方水平部１３ａ，１３ａから下方に伸びる垂直部１３ｂ，１３ｂと、垂直部１３ｂ，１３ｂ下端から上方水平部１３ａ，１３ａとほぼ平行に伸びる下方水平部１３ｃ、１３ｃとを有しこれらは一本のパイプを曲げて形成される。そして下方水平部１３ｃ、１３ｃと押さえ板１５は天板４の端面４ａ側の下面４ｂを下方から押圧する鍵状部として構成されている。
【００１７】
図３に示すように、水平板１１は中央部に締め付けボルト９の挿通孔１１ａが形成され、裏面にナット部材１７が溶着された上面部１１ｂと、この上面部１１ｂの両側端部から下方に延びる側板部１１ｃ，１１ｃとが一体に形成され、全体として下方に開口するコ字状箱体を構成している。締め付けボルト９は雄ねじ９ａが形成され、その先端は雄ねじ９ａの径より小さい小径軸部９ｂを有している。
【００１８】
また、保持板７ｃは中央部に抜け止め防止体に相当する抜け止め防止リング１９を収容可能な収容孔８ａが形成された下面部８ｂと、この下面部８ｂの両端部から上方に延びる側板部８ｃ、８ｃとが一体に形成され、全体として上方に開口するコ字状箱体を構成している。そして水平板１１の両側板部１１ｃ，１１ｃの内面間の距離Ｂは保持板７ｃの両側板部８ｃ，８ｃの外面間の距離ｂより大きく形成され、図４に示すように、取付具４を天板４に固定する際には、両側板部８ｃ，８ｃはそれぞれ側板部１１ｃ、１１ｃの内方に移動自在に（小さな間隙を持って）収納される。
【００１９】
保持板７ｃの下面部８ｂ上面には矩形状の補助板２１が載置され、中央部に締め付けボルト９の小径軸部９ｂを緩く嵌挿する嵌挿孔２１ａが形成されている。この嵌挿孔２１ａは締め付けボルト９の雄ねじ９ａの外形よりは小さい孔径を有しており、取付具５を天板４に固定する際には、雄ねじ９ｂの先端端面が滑りワッシャ２５を介して補助板２１に推力を伝達するように構成されている。なお、補助板２１は締め付けボルト９による推力を保持板７ｃに均等に伝達するために配置されており、変形しにくい堅い材料で構成されている。
【００２０】
抜け止め防止リング１９は小径軸部９ｂ先端に係着するもので、ひとたび小径軸部９ｂ先端に挿入して係着すると、抜け止め防止リング１９を小径軸部９ｂ先端から取り外そうとしても、その内周面に配置した弾性舌片１９ａが折り返されて小径軸部９ｂに強く摩擦係合し抜くことができないように構成されている。
【００２１】
次に、図３，図４に基づき取付具５による保持板７ｃの天板４に対する固定保持作用について説明する。先ず、載置台保持具７を天板４の端部４ａ側上面４ｃに載置する。このとき保持板７ｃの下面部８ｂ下面は天板上面４ｃに面接触している。その後、取付具５の鈎状部を構成する下方水平部１３ｃ、１３ｃを天板下面４ｂと若干離れた状態で挿入し、取付具５の水平板１１の両側板部１１ｃ、１１ｃが保持板７ｃの両側板部８ｃ，８ｃを内方に包み込むようにして取付具５を上方から下方に移動させる。
【００２２】
次に締め付けボルト９の雄ねじ９ａを上面部１１ｂの裏面に溶着されたナット部材１７に螺合し、載置台保持具７を天板上面４ｃに向けて下方に押しつけながら締め付けボルト９の回動操作を継続すると、やがて締め付けボルト９の小径軸部９ｂの先端部が補助板２１の嵌挿孔２１ａを通過し、収容孔８ａに載置した抜け止め防止リング１９と係着すると同時に、締め付けボルト９の雄ねじ９ａの先端端面が滑りワッシャ２５を介して補助板２１に推力を伝達する。
【００２３】
締め付けボルト９の回動操作時に、水平板１１に取り付けられたコ字状の杆材１３がボルトの回動方向に連れ回りしようとするが、水平板１１の両側板部１１ｃ，１１ｃが保持板７ｃの両側板部８ｃ，８ｃと移動自在に係合しているので、載置台保持具７を移動しないように押さえつけておけば連れ回りは防止できる。
【００２４】
締め付けボルト９の雄ねじ９ａの先端端面が滑りワッシャ２５を介して補助板２１に推力を伝達する状態から、更に締め付けボルト９を回動操作すると、ねじの推進力により補助板２１を介して保持板７ｃが天板上面４ｃに向けて押圧する推力が生じ、同時にねじによる推力の反作用により、水平板１１を図４矢視Ａの如く上方に引き上げる力が生じる。このとき小径軸部９ｂは嵌挿孔２１ａ及び収容孔８ａに対してフリーであるので、締め付けボルト９に回動負荷を与えることはない。また、雄ねじ９ａの先端端面と補助板２１間に滑りワッシャ２５が介在しているので、締め付けボルト９の回動時の摩擦抵抗も少ない。
【００２５】
水平板１１が上方に引き上げられると、杆材１３も上方に引き上げられ、下方水平部１３ｃ、１３ｃが天板下面４ｂを押さえ板１５を介して下から上に押し上げ、保持板７ｃと押さえ板１５で天板４を挟持することになる。その結果、載置台保持具７は天板上面４ｃ上に保持されることになる。このように、締め付けボルト９を回動操作するだけで、天板４を傷つけることなく載置台保持具７を介して載置台３を容易且つ確実に固定保持することができる
【００２６】
天板４に固定保持された載置台保持具７を天板４から解放するには、締め付けボルト９を締め付け時とは逆の方向に回動操作すればよい。この回動操作により水平板１１が下方に引き下げられ、下方水平部１３ｃ、１３ｃが天板下面４ｂから離される。すると、保持板７ｃと押さえ板１５で天板４を挟持した状態が解放され、支持台１ごと天板４から取り去ることができる。
【００２７】
このとき、抜け止め防止リング１９は小径軸部９ｂ先端に係着したままであるから、保持板７ｃと押さえ板１５が天板４から離れた状態でも、締め付けボルト９を介して載置台保持具７と取付具５は分離せず、締め付けボルト９を緩めた後、載置台保持具７と取付具５がバラバラとなって天板４を傷つけたりすることがない。そして両者を一体化したまま保管や運送することができるので便利である。また、載置台保持具７を天板４に固定保持するのに、天板４に直接鋲着するビス類を使用していないので、支持台１を取り外した後も、天板に何ら固定保持した留め跡が残らない利点を有している。
【００２８】
また、本発明は、杆材１３の上方水平部１３ａ，１３ａ、垂直部１３ｂ，１３ｂ及び下方水平部１３ｃ、１３ｃが一体に形成されているので、強度的に優れ、水平板１１の上下方向の移動に対して、鈎状部を正確に連動させることができる。そして水平板１１と保持板７ｃが互いに側板部を有した箱状に形成されているので、締め付けボルト９が側板部により部分的に隠蔽され、外部から視認しにくく見栄えがよい。さらに、載置台３の背板３ａと保持板７ｃは一体に形成された長コ字状の杆材７ａと直線状の杆材７ｂで連結したので、軽量で種々の形に加工しやすい載置台保持具を提供できる。
【００２９】
以上、本発明の実施例を図面により説明してきたが、具体的な構成はこれら実施例に限られるものではなく、本発明の要旨を逸脱しない範囲における変更や追加があっても本発明に含まれる。例えば、前記実施例では、水平板１１、保持板７ｃはコ字状箱体に構成して両者の相対回転を防ぎ、締め付けボルト９の回動による水平板１１の連れ回りを防いでいるが、必ず箱状とする必要はなく、水平板１１、保持板７ｃ共に平板であっても良い。この場合水平板１１の連れ回りを防ぐために取付具５が回動しないように手や工具で押さえる。
【００３０】
また、抜け止め防止リング１９として内周面に弾性舌片１９ａを複数配設したものを使用したが、抜けにくい構造であれば公知のいかなる抜け止め具でも良いし、例えば、小径軸部９ｂ先端を覆う抜け止め防止用のキャップを取り付けても良く、必ず本発明の実施に際し抜け止め防止リング１９を必要とするものではない。更に本実施例では水平板１１と押さえ板１５とを杆材１３で接続しているが、両者を接続し、かつ締め付けボルト９による牽引力に耐えるものであれば杆材以外のどのような構造体であっても良い。
【００３１】
また、本実施例では杆材７ａ，７ｂ，１３では棒材が用いられているが、本発明における杆材はこれに限定されるものではなく、円筒状や角形状のパイプ体や棒材を用いることもできることは言うまでもなく、アルミ金属以外にも硬質プラスチック等の他の部材を用いても良い。更にまた、本実施例では締め付けボルト９の回動抵抗を減らすために滑りワッシャ２５を、保持板７ｃに推力を均等に伝達するために補助板２１を用いたが、これらを省略して使用しても構わない。
【００３２】
また、本実施例では、載置台３は、この載置台３から取付具５側に延在する載置台保持具７に連結固定されているが、本発明はこれに限定されるものではなく、載置台保持具７に載置台３の背面に新たに設けた係止具を係止して固定しても良いし、単に載置台保持具７に載置台３を支持するようにしても良い。
【図面の簡単な説明】
【００３３】
【図１】机の背面側に本発明の実施例における本類の支持台を固定保持した本類の支持台の全体像を示す斜視図である。
【図２】本類の支持台の分解斜視図である。
【図３】取付具の分解断面図である。
【図４】取付具を天板に固定保持した状態を示す断面図である。
【符号の説明】
【００３４】
１                支持台
３                載置台
３ａ              背板
３ｂ              棚縁底面
４                天板
４ａ              天板端部
４ｂ              天板下面
４ｃ              天板上面
５                取付具
７                載置台保持具
７ａ，７ｂ        杆材
７ｃ              保持板
８ａ              収容孔
８ｂ              下面部
８ｃ              側板部
９                締め付けボルト
９ａ              雄ねじ
９ｂ              小径軸部
１１              水平板（水平部）
１１ａ            挿通孔
１１ｂ            上面部
１１ｃ            側板部
１３              杆材
１３ａ            上方水平部
１３ｂ            垂直部
１３ｃ            下方水平部
１５              押さえ板
１７              ナット部材
１９              抜け止め防止リング
１９ａ            弾性舌片
２１              補助板
２１ａ            嵌挿孔
２５              滑りワッシャ
【図１】
2007135706.tif 000003
【図２】
2007135706.tif 000004
【図３】
2007135706.tif 000005
【図４】
2007135706.tif 000006